(57)【要約】【課題】  簡単な操作によりコンテンツをダビングする。【解決手段】  ＤＶＤレコーダ兼ハードディスクレコーダ１０は、リモコンインターフェイス３８と、ＨＤＤ部２６と、メイン制御部２２とを含む。メイン制御部２２は、再生を停止する旨の指示が受付けられると、ポインタ信号の、ハードディスク２７における記録の位置を表わす情報を生成し、かつ信号の所定の順序での読出しを停止するように、ＨＤＤ部２６を制御する。メイン制御部２２は、記録をすべき旨の指示が受付けられると、読出しを再開するように、ＨＤＤ部２６を制御する。ＨＤＤ部２６は、再生を開始する旨の指示が受付けられると、ハードディスク２７からデジタル信号を読出し、記録をすべき旨の指示が受付けられると、自らが読出した信号を、ＤＶＤディスクに記録する。【選択図】        図１
2006295811.tif 000002
【特許請求の範囲】
【請求項１】
ユーザから指示を受付けるための受付手段と、
前記受付手段が再生を開始する旨の指示を受付けると、画像および音声のいずれかを表わすデジタル信号を記録する第１の記録媒体から、前記信号を所定の順序で読出すための読出手段と、
前記受付手段が再生を停止する旨の指示を受付けると、前記第１の記録媒体が記録した信号の前記所定の順序での読出しを停止するように、前記読出手段を制御するための第１の制御手段と、
前記受付手段が再生を停止する旨の指示を受付けると、前記読出手段が所定の順序での読出しを停止する前に読出したデジタル信号であるポインタ信号の、前記第１の記録媒体における記録の位置を表わす情報を生成するための生成手段と、
前記受付手段が記録をすべき旨の指示を受付けると、前記所定の順序での読出しを停止した時点で読出しの対象であった信号から読出しを再開するように、前記読出手段を制御するための第２の制御手段と、
前記受付手段が記録をすべき旨の指示を受付けると、前記生成手段が生成した情報に基づいて、前記第１の記録媒体が記録した信号のうち、前記ポインタ信号から、前記記録をすべき旨の指示を受付けた後に記録を停止する旨の指示を受付けた時点で前記読出手段が読出した信号までの信号を、前記第２の記録媒体に記録するための記録手段とを含む、コンテンツ複写装置。
【請求項２】
ユーザから指示を受付けるための受付手段と、
前記受付手段が再生を開始する旨の指示を受付けると、画像および音声のいずれかを表わすデジタル信号を記録する第１の記録媒体から、前記信号を所定の順序で読出すための読出手段と、
前記受付手段が再生を停止する旨の指示を受付けると、前記第１の記録媒体が記録した信号の前記所定の順序での読出しを停止するように、前記読出手段を制御するための第１の制御手段と、
前記受付手段が再生を停止する旨の指示を受付けると、前記読出手段が所定の順序での読出しを停止する前に読出したデジタル信号であるポインタ信号の、前記第１の記録媒体における記録の位置を表わす情報を生成するための生成手段と、
前記受付手段が記録をすべき旨の指示を受付けると、前記所定の順序での読出しを停止した時点で読出しの対象であった信号から読出しを再開するように、前記読出手段を制御するための第２の制御手段と、
前記受付手段が記録をすべき旨の指示を受付けると、前記生成手段が生成した情報に基づいて、前記第１の記録媒体が記録した信号のうち、前記読出手段による読出しの順序が前記ポインタ信号以降となる信号のいずれかである、前記読出手段が読出した信号を、第２の記録媒体に記録するための記録手段とを含む、コンテンツ複写装置。
【請求項３】
前記第１の記録媒体は、コンテンツを分類の単位として、前記デジタル信号を記録する媒体を含み、
前記記録手段は、前記受付手段が記録をすべき旨の指示を受付けると、前記生成手段が生成した情報に基づいて、前記第１の記録媒体が記録した信号のうち、前記ポインタ情報が表わす信号とコンテンツが同じで、前記読出手段による読出しの順序が前記ポインタ信号以降となる信号のいずれかである、前記読出手段が読出した信号を、前記第２の記録媒体に記録するための手段を含む、請求項２に記載のコンテンツ複写装置。
【請求項４】
前記第２の記録媒体に記録するための手段は、前記受付手段が記録をすべき旨の指示を受付けると、前記生成手段が生成した情報に基づいて、前記第１の記録媒体が記録した信号のうち、前記ポインタ情報が表わす信号とコンテンツが同じで、前記ポインタ信号から前記ポインタ信号と同じコンテンツにおいて前記読出しの順序が最後となる信号までの信号である、前記読出手段が読出した信号を、前記第２の記録媒体に記録するための手段を含む、請求項３に記載のコンテンツ複写装置。
【請求項５】
前記記録手段は、前記受付手段が記録をすべき旨の指示を受付けると、前記生成手段が生成した情報に基づいて、前記第１の記録媒体が記録した信号のうち、前記読出手段による読出しの順序が前記ポインタ信号以降で前記ユーザの指示に対応する信号を、前記第２の記録媒体に記録するための手段を含む、請求項２に記載のコンテンツ複写装置。
【請求項６】
前記第２の記録媒体に記録するための手段は、前記受付手段が記録をすべき旨の指示を受付けると、前記生成手段が生成した情報に基づいて、前記第１の記録媒体が記録した信号のうち、前記ポインタ信号から前記記録をすべき旨の指示を受付けた後に記録を停止する旨の指示を受付けた時点で前記読出手段が読出した信号までの信号を、前記第２の記録媒体に記録するための手段を含む、請求項５に記載のコンテンツ複写装置。
【発明の詳細な説明】
【技術分野】
【０００１】
本発明は、コンテンツ複写装置に関し、特に、テレビジョン信号を所定の規格にしたがって光ディスクに記録するコンテンツ複写装置に関する。
【背景技術】
【０００２】
特許文献１は、再生コンテンツならびにその他の表示データを表示画面上に出力するディスプレイと、コンテンツ操作に関するユーザ入力を受容するリモコン（リモートコントローラの略）と、各コンテンツの再生開始位置や長さ、コンテンツの再生順序、現在再生中のコンテンツの再生位置などのコンテンツ情報を管理し、現在再生中のコンテンツならびにその前後に再生順序が配置されたコンテンツに関する情報を視覚化して表示画面の一部に提示するＣＰＵ（Central Processing Unit）とを具備するコンテンツの検索・提示システムを開示する。
【０００３】
特許文献１に開示された発明によると、記憶装置に録画・蓄積された多数の記録コンテンツの中からユーザに任意のコンテンツを効率よく選択させることができる。
【０００４】
特許文献２は、外部から供給されたシリーズとして連結可能な複数のデジタルコンテンツそれぞれを、その連結順位を特定可能な情報を含むシリーズ情報と一緒に所定の記録メディアに記録する記録装置と、シリーズ情報に基づいて、所定の記録メディアに記録された複数のデジタルコンテンツが前述した連結順位で仮想的に連結されるように、それぞれのコンテンツの開始と終了との位置を指定するポインタを設定するポインタ設定部とを有するデジタルコンテンツ編集システムを開示する。
【０００５】
特許文献２に開示された発明によると、連続番組などのシリーズものであるデジタルコンテンツに対して再生や編集などの処理を簡単に行うことができる。
【特許文献１】特開２００２−１８５８８９号公報
【特許文献２】特開２００４−２９７４９３号公報
【発明の開示】
【発明が解決しようとする課題】
【０００６】
しかし、特許文献１に開示された発明では、複数のコンテンツを時系列に並べることができるが、並べられたコンテンツのダビングに複雑な操作（たとえばファイルを選択し、編集し、かつ編集後のファイルを複写するなどといった操作）が必要であるという問題点がある。
【０００７】
特許文献２に開示された発明では、複数のコンテンツを１つのシリーズとしてまとめる（録画されたファイルが１つのシリーズを構成するか否かを判断し、放送された日時通りにファイルを連結する）ことができるが、まとめられたコンテンツのダビングに複雑な操作（特許文献１にかかる発明と同様の操作）が必要であるという問題点がある。
【０００８】
本発明は上述の問題点を解決するためになされたものであって、その目的は、簡単な操作によりコンテンツをダビングできるコンテンツ複写装置を提供することにある。
【課題を解決するための手段】
【０００９】
上記目的を達成するために、本発明のある局面に従うと、コンテンツ複写装置は、受付手段と、読出手段と、第１の制御手段と、生成手段と、第２の制御手段と、記録手段とを含む。受付手段は、ユーザから指示を受付ける。読出手段は、受付手段が再生を開始する旨の指示を受付けると、画像および音声のいずれかを表わすデジタル信号を記録する第１の記録媒体から、信号を所定の順序で読出す。第１の制御手段は、受付手段が再生を停止する旨の指示を受付けると、第１の記録媒体が記録した信号の所定の順序での読出しを停止するように、読出手段を制御する。生成手段は、受付手段が再生を停止する旨の指示を受付けると、読出手段が所定の順序での読出しを停止する前に読出したデジタル信号であるポインタ信号の、第１の記録媒体における記録の位置を表わす情報を生成する。第２の制御手段は、受付手段が記録をすべき旨の指示を受付けると、所定の順序での読出しを停止した時点で読出しの対象であった信号から読出しを再開するように、読出手段を制御する。記録手段は、受付手段が記録をすべき旨の指示を受付けると、生成手段が生成した情報に基づいて、第１の記録媒体が記録した信号のうち、ポインタ信号から、記録をすべき旨の指示を受付けた後に記録を停止する旨の指示を受付けた時点で読出手段が読出した信号までの信号を、第２の記録媒体に記録する。
【００１０】
本発明の他の局面に従うと、コンテンツ複写装置は、受付手段と、読出手段と、第１の制御手段と、生成手段と、第２の制御手段と、記録手段とを含む。受付手段は、ユーザから指示を受付ける。読出手段は、受付手段が再生を開始する旨の指示を受付けると、画像および音声のいずれかを表わすデジタル信号を記録する第１の記録媒体から、信号を所定の順序で読出す。第１の制御手段は、受付手段が再生を停止する旨の指示を受付けると、第１の記録媒体が記録した信号の所定の順序での読出しを停止するように、読出手段を制御する。生成手段は、受付手段が再生を停止する旨の指示を受付けると、読出手段が所定の順序での読出しを停止する前に読出したデジタル信号であるポインタ信号の、第１の記録媒体における記録の位置を表わす情報を生成する。第２の制御手段は、受付手段が記録をすべき旨の指示を受付けると、所定の順序での読出しを停止した時点で読出しの対象であった信号から読出しを再開するように、読出手段を制御する。記録手段は、受付手段が記録をすべき旨の指示を受付けると、生成手段が生成した情報に基づいて、第１の記録媒体が記録した信号のうち、読出手段による読出しの順序がポインタ信号以降となる信号のいずれかである、読出手段が読出した信号を、第２の記録媒体に記録する。
【００１１】
また、上述の第１の記録媒体は、コンテンツを分類の単位として、デジタル信号を記録する媒体を含むことが望ましい。記録手段は、受付手段が記録をすべき旨の指示を受付けると、生成手段が生成した情報に基づいて、第１の記録媒体が記録した信号のうち、ポインタ情報が表わす信号とコンテンツが同じで、読出手段による読出しの順序がポインタ信号以降となる信号のいずれかである、読出手段が読出した信号を、第２の記録媒体に記録するための手段を含むことが望ましい。
【００１２】
また、上述の第２の記録媒体に記録するための手段は、受付手段が記録をすべき旨の指示を受付けると、生成手段が生成した情報に基づいて、第１の記録媒体が記録した信号のうち、ポインタ情報が表わす信号とコンテンツが同じで、ポインタ信号からポインタ信号と同じコンテンツにおいて読出しの順序が最後となる信号までの信号である、読出手段が読出した信号を、第２の記録媒体に記録するための手段を含むことが望ましい。
【００１３】
また、上述の記録手段は、受付手段が記録をすべき旨の指示を受付けると、生成手段が生成した情報に基づいて、第１の記録媒体が記録した信号のうち、読出手段による読出しの順序がポインタ信号以降でユーザの指示に対応する信号を、第２の記録媒体に記録するための手段を含むことが望ましい。
【００１４】
また、上述の第２の記録媒体に記録するための手段は、受付手段が記録をすべき旨の指示を受付けると、生成手段が生成した情報に基づいて、第１の記録媒体が記録した信号のうち、ポインタ信号から記録をすべき旨の指示を受付けた後に記録を停止する旨の指示を受付けた時点で読出手段が読出した信号までの信号を、第２の記録媒体に記録するための手段を含むことが望ましい。
【発明の効果】
【００１５】
本発明に係るコンテンツ複写装置は、簡単な操作によりコンテンツをダビングできる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
＜第１の実施の形態＞
以下、本発明の第１の実施の形態に係るＤＶＤ（Digital Versatile Disk）レコーダ兼ハードディスクレコーダ１０について説明する。本実施の形態に係るＤＶＤレコーダ兼ハードディスクレコーダ１０は、コンテンツを複写するコンテンツ複写装置である。
【００１８】
図１を参照して、本実施の形態に係るＤＶＤレコーダ兼ハードディスクレコーダ１０は、チューナ部１２と、入力部１４と、入力制御部１６と、ＡＶ（Audio Visual）信号Ａ／Ｄ（Analog-to-Digital）部１８と、ＭＰＥＧエンコーダ部２０と、メイン制御部２２と、メモリ２４と、ＨＤＤ部２６と、ＤＶＤ部２８と、ＭＰＥＧ（Moving Picture Coding Experts Group）デコーダ部３０と、ＯＳＤ（On Screen Display）ディスプレイ制御部３２と、ＡＶ信号Ｄ／Ａ（Digital-to-Analog）部３４と、出力制御部３６と、リモコンインターフェイス３８と、外部インターフェイス４０とを含む。チューナ部１２は、図示しないアンテナが受信した放送信号から予めユーザが指定した放送局の信号を選局する。入力部１４は、自らに接続された機器から出力される信号を受付ける。入力制御部１６は、チューナ部１２および入力部１４からの信号を択一的にＡＶ信号Ａ／Ｄ部１８に出力する。ＡＶ信号Ａ／Ｄ部１８は、入力制御部１６が出力した信号をデジタル信号に変換する。ＭＰＥＧエンコーダ部２０は、ＡＶ信号Ａ／Ｄ部１８が出力したデジタル信号をＭＰＥＧ規格に従って圧縮（エンコード）する。メイン制御部２２は、ＤＶＤレコーダ兼ハードディスクレコーダ１０の各部を制御する。メモリ２４は、メイン制御部２２が制御を実施するために必要な情報を記憶する。ＨＤＤ部２６は、内蔵するハードディスク２７に対し、映像および音声のいずれかを表わす信号ならびにそれらの信号を記録した位置を表わす情報を記録する装置である。ＨＤＤ部２６は、内蔵するハードディスク２７（ハードディスク２７は、画像および音声のいずれかを表わすデジタル信号を記録する記録媒体である）から、映像および音声のいずれかを表わす信号ならびにそれらの信号を記録した位置を表わす情報を読出す装置でもある。ＤＶＤ部２８は、光ディスク（本実施の形態の場合ＤＶＤディスク）に画像および音声のいずれかを表わす信号を記録する装置である。ＭＰＥＧデコーダ部３０は、メイン制御部２２が出力した信号をＭＰＥＧ規格に従った復号（デコード）する。ＯＳＤディスプレイ制御部３２は、ＭＰＥＧデコーダ部３０が復号した信号を用いて画像を表わす信号を生成する。ＡＶ信号Ｄ／Ａ部３４は、ＯＳＤディスプレイ制御部３２が生成した信号をアナログ信号に変換する。出力制御部３６は、ＡＶ信号Ｄ／Ａ部３４が出力した信号と図示しない経路を介してメイン制御部２２が直接出力したアナログ信号とを、択一的に出力する。リモコンインターフェイス３８は、図示しないリモコンが送信した信号を電気的な信号に変換する。これにより、リモコンインターフェイス３８は、リモコンを介してユーザから指示を受付ける装置となる。外部インターフェイス４０は、リモコンインターフェイス３８が出力した信号をメイン制御部２２が利用できる信号に変換する。
【００１９】
図２を参照して、本実施の形態に係るリモコン端末１２００について説明する。図２は、リモコン端末１２００の外観を表わす図である。このリモコン端末１２００は、ディスプレイ１２０２と、移動キー１２０４と、数字ボタン１２０６と、操作ボタン１２０８とを含む。このリモコン端末１２００は、ＤＶＤレコーダ兼ハードディスクレコーダ１０に信号を送信する装置である。
【００２０】
移動キー１２０４は、カーソルを上に移動させる旨の指示や、コンテンツを再生させる旨の指示を受付けるための上カーソルキー１２１２と、カーソルを下に移動させる旨の指示や、コンテンツの再生を停止させる旨の指示を受付けるための下カーソルキー１２１４と、カーソルを右に移動させる旨の指示や、コンテンツを早送り再生させる旨の指示を受付けるための右カーソルキー１２１６と、カーソルを左に移動させる旨の指示や、コンテンツを巻戻し再生させる旨の指示を受付けるための左カーソルキー１２１８と、ＤＶＤレコーダ兼ハードディスクレコーダ１０の設定を確定させる旨の指示や、ＤＶＤディスクを取出し可能にさせる旨の指示や、コンテンツの再生を一時停止させる旨の指示を受付けるための確定ボタン１２２０とを含む。
【００２１】
操作ボタン１２０８は、押下される回数に応答してテレビの音量を調整することができる音量ボタン１２２２と、同様に調整可能なチャンネルボタン１２２４と、ＤＶＤディスクなどへコンテンツを録画できるワンタッチダビングボタン１２２６とを含む。
【００２２】
図３を参照して、ＤＶＤレコーダ兼ハードディスクレコーダ１０で実行されるプログラムは、コンテンツのダビングに関し、以下のような制御を実行する。
【００２３】
ステップ１００（以下ステップをＳと略す。）にて、リモコンインターフェイス３８は、リモコン端末１２００を介してユーザから再生を開始する旨の指示を受付ける。再生を開始する旨の指示を表わす信号は、外部インターフェイス４０を介してメイン制御部２２に出力される。これにより、ハードディスク２７内のコンテンツの再生が開始されることとなる。
【００２４】
Ｓ１０２にて、メイン制御部２２は、リモコンインターフェイス３８が再生を開始する旨の指示を信号として受付けると、ＨＤＤ部２６に、ハードディスク２７から、信号を所定の順序で読出させる。読出された信号は、ＭＰＥＧデコーダ部３０に出力される。ＭＰＥＧデコーダ部３０はメイン制御部２２が出力した信号を復号する。ＯＳＤディスプレイ制御部３２は、ＭＰＥＧデコーダ部３０が復号した信号を用いて画像を表わす信号を生成する。ＡＶ信号Ｄ／Ａ部３４は、ＯＳＤディスプレイ制御部３２が出力した信号を、アナログ信号に変換する。出力制御部３６は、ＡＶ信号Ｄ／Ａ部３４が出力した信号を図示しないディスプレイに出力する。ＨＤＤ部２６は、メイン制御部２２の制御により、ハードディスク２７から再生しようとするコンテンツのファイル（再生ファイル）の時間情報を取得する。図４を参照して、本実施の形態におけるハードディスク２７は、ファイルＡ、ファイルＢ、およびファイルＣとして、信号を記録する。ファイルＡ、ファイルＢ、およびファイルＣは、それぞれ１つのコンテンツに対応する。これにより、ハードディスク２７は、コンテンツを分類の単位として、デジタル信号を記録することとなる。ファイルＡは、時間情報Ａと、映像情報Ａと、音声情報Ａとを含む。時間情報は、映像情報Ａを構成する各信号の、ハードディスク２７における記録の位置を表わす情報と、音声情報Ａを構成する信号のハードディスク２７における記録の位置を表わす情報とを含む。このステップにおいて、メイン制御部２２が取得する時間情報は、所定の速度でコンテンツの再生が開始されてから信号が出力制御部３６により出力するまでの時間に対応する情報である。時間情報は、ハードディスク２７におけるアドレスにも対応する情報である。
【００２５】
Ｓ１０４にて、リモコンインターフェイス３８は、ユーザから画像を表示させずに再生を停止する旨の指示（再生停止命令）または画像を表示させつつ再生を停止する旨の指示（一時停止命令）を受付ける。受付けられた指示は、信号として、外部インターフェイス４０を介して、メイン制御部２２に出力される。
【００２６】
Ｓ１０６に、メイン制御部２２は、リモコンインターフェイス３８が再生停止命令および一時停止命令のいずれか（すなわち、再生を停止する旨の指示）を受付けると、ハードディスク２７が記録した信号の所定の順序での読出を停止するように、ＨＤＤ部２６を制御する。ＨＤＤ部２６が制御されると、メイン制御部２２は、再生を開始した時点から、次に述べる信号（「ポインタ信号」と称する）を再生するまでに費やす時間（メイン制御部２２が算出した時間を「ポインタ時間」と称する。ポインタ時間を表わす情報を「ポインタ情報」と称する。）を算出する。本実施の形態において「ポインタ信号」とは、ＨＤＤ部２６が所定の順序での読出を停止する前に最後に読出した信号のことである。ポインタ時間が算出されると、ポインタ情報が生成される。その結果、メイン制御部２２は、リモコンインターフェイス３８が再生停止命令および一時停止命令のいずれか（すなわち、再生を停止する旨の指示）を受付けると、ＨＤＤ部２６が所定の順序での読出しを停止する前に読出したデジタル信号であるポインタ信号の、ハードディスク２７における記録の位置を表わす情報を生成することとなる。ポインタ情報が生成されると、メイン制御部２２は、ポインタ時間とハードディスク２７においてポインタ信号が記録されたアドレスを表わす情報との関係を表わす情報を作成する。
【００２７】
Ｓ１０８にて、メイン制御部２２は、ポインタ情報をハードディスク２７に記録させる。本実施の形態において、この処理を「レジューム処理」または「チャプタを設定する」と称する。
【００２８】
Ｓ１１０にて、メイン制御部２２は、リモコンインターフェイス３８が再度再生停止命令または一時停止命令を受付けなかったか否かを判断する。再生停止命令または一時停止命令を受付けなかったと判断した場合（Ｓ１１０にてＹＥＳ）、処理はＳ１１２へと移される。もしそうでないと（Ｓ１１０にてＮＯ）、処理はＳ１２２へと移される。
【００２９】
Ｓ１１２にて、メイン制御部２２は、リモコンインターフェイス３８が再生命令を受付けたか否かを判断する。再生命令を受付けたと判断した場合（Ｓ１１２にてＹＥＳ）、処理はＳ１０２へと移される。もしそうでないと（Ｓ１１２にてＮＯ）、処理はＳ１１４へと移される。
【００３０】
Ｓ１１４にて、メイン制御部２２は、リモコンインターフェイス３８からの信号に基づき、ワンタッチダビングボタン１２２６の操作があったか否かを判断する。ワンタッチダビングボタン１２２６の操作があったと判断した場合（Ｓ１１４にてＹＥＳ）、処理はＳ１１６へと移される。もしそうでないと（Ｓ１１４にてＮＯ）、処理はＳ１１０へと移される。
【００３１】
Ｓ１１６にて、メイン制御部２２は、ＨＤＤ部２６にポインタ情報を読出させることにより、ハードディスク２７におけるポインタ信号が記録された位置（レジユーム位置）とＳ１００にて再生を開始したコンテンツにおける読出の順序が最後となる信号の位置とを特定する。位置が特定されると、メイン制御部２２は、ダビングをするファイルの開始時間と終了時間とを算出する。これにより、レジューム位置から、ダビングをするファイルの開始時間と終了時間とが取得されることとなる。
【００３２】
Ｓ１１８にて、メイン制御部２２は、ハードディスク２７からＤＶＤディスクへのダビングを実施する。ダビングのため、メイン制御部２２は、ＨＤＤ部２６にハードディスク２７が記録した信号を読出させる。ＨＤＤ部２６は、読出信号をメイン制御部２２に出力する。メイン制御部２２は、ＨＤＤ部２６から出力された信号をＤＶＤ部２８に出力する。ＤＶＤ部２８は自己に装着されたＤＶＤディスクに対しメイン制御部２２が出力した信号を記録する。これにより、ＤＶＤ部２８は、リモコンインターフェイス３８が記録すべき旨の指示を受付けると、メイン制御部２２が生成した情報に基づいて、ハードディスク２７が記録した信号のうち、ＨＤＤ部２６による読出の順序がポインタ信号以降となる信号のいずれかである、ＨＤＤ部２６が読出した信号を、ＤＶＤディスクに記録することとなる。
【００３３】
Ｓ１２０にて、メイン制御部２２は、ダビングが終了したか否かを判断する。ダビングが終了したと判断した場合（Ｓ１２０にてＹＥＳ）、処理は終了する。もしそうでないと（Ｓ１２０にてＮＯ）、処理はＳ１１８へと移される。
【００３４】
Ｓ１２２にて、メイン制御部２２は、ディスプレイに表示される画面がコンテンツ選択画面に戻るための処理を実施する。この処理は周知であるので、ここではその詳細な説明は繰返さない。
【００３５】
図５を参照して、以上のような構造およびフローチャートに基づく、ＤＶＤレコーダ兼ハードディスクレコーダ１０の動作について説明する。図５は、ＤＶＤレコーダ兼ハードディスクレコーダ１０が動作することにより、１つのファイルが分割されることを表わす概念図である。
【００３６】
メイン制御部２２は、ハードディスク２７内のダビングしたいコンテンツの再生を開始する（Ｓ１００）。再生が開始されると、メイン制御部２２がＨＤＤ部２６から再生ファイルの時間情報を取得する（Ｓ１０２）。時間情報が取得されると、リモコンインターフェイス３８は、再生停止命令または一時停止命令を受付ける（Ｓ１０４）。これにより、ダビングしたい位置が頭出しされ、かつ停止または一時停止が実施される。図５の上段の部分は、コンテンツの再生から停止（または一時停止）迄を表わす。命令が受付けられると、メイン制御部２２がポインタ情報を取得する（Ｓ１０６）。ポインタ情報が取得されると、メイン制御部２２は、レジューム処理を実施する（Ｓ１０８）。レジューム処理が実施されると、メイン制御部２２は、リモコンインターフェイス３８が、再生停止命令または一時停止命令を再び受付けていないか否かを判断する（Ｓ１１０）。この場合、そのような命令を受付けていないとすると（Ｓ１１０にてＹＥＳ）、メイン制御部２２は、リモコンインターフェイス３８が再生命令を受付けたか否かを判断する（Ｓ１１２）。この場合、再生命令を受付けたとすると（Ｓ１１２にてＹＥＳ）、Ｓ１０２〜Ｓ１１０の処理を経て、メイン制御部２２は、リモコンインターフェイス３８が再生命令を再び受付けたか否かを判断する（Ｓ１１２）。この場合、再生命令を受付けていないとすると（Ｓ１１２にてＮＯ）、メイン制御部２２は、ワンタッチダビングボタン１２２６の操作があったか否かを判断する（Ｓ１１４）。この場合、ユーザがワンタッチダビングボタン１２２６を操作したとすると（Ｓ１１４にてＹＥＳ）、メイン制御部２２は、レジューム位置から、ダビングをするファイルの開始時間と終了時間とを取得する（Ｓ１１６）。図５の中段の部分は、ワンタッチダビングボタン１２２６の操作により、ダビングされる部分が特定されたことを表わす。時間が取得されると、メイン制御部２２は、ハードディスク２７からＤＶＤディスクへのダビングを実施する（Ｓ１１８）。これにより、メイン制御部２２は、リモコンインターフェイス３８が記録をすべき旨の指示を受付けると、所定の順序での読出しを停止した時点で読出しの対象であった信号から読出しを再開するように、ＨＤＤ部２６を制御することとなる。ダビングが実施されると、メイン制御部２２は、ダビングが終了したか否か判断する（Ｓ１２０）。当初ダビングが終了していないので（Ｓ１２０にてＮＯ）、Ｓ１１８〜Ｓ１２０の処理が繰返される。最終的にダビングは終了するので（Ｓ１２０にてＹＥＳ）、処理は終了する。これにより、ＨＤＤ部２６は、リモコンインターフェイス３８が記録をすべき旨の指示を受付けると、メイン制御部２２が生成した情報に基づいて、ハードディスク２７が記録した信号のうち、ポインタ情報が表わす信号とコンテンツが同じで、ＨＤＤ部２６による読出しの順序がポインタ信号以降となる信号のいずれかである、ＨＤＤ部２６が読出した信号を、ＤＶＤディスクに記録することとなる。なお、本実施の形態の場合であれば、ポインタ信号から、ポインタ信号と同じコンテンツにおいて読出しの順序が最後となる信号までの信号がＤＶＤディスクに記録されることとなる。ただし、ＤＶＤディスクに記録される信号は、ハードディスク２７が記録した信号のうち、ポインタ情報が表わす信号とコンテンツが同じで、ＨＤＤ部２６による読出しの順序がポインタ信号以降となる信号のいずれかであってもよい。ダビングが終了したことにより、外観上、ダビングされた部分のファイルが分割される。図５の下段の部分は、ダビングにより新たなコンテンツが作成されたことを表わす。
【００３７】
以上のようにして、本実施の形態に係るＤＶＤレコーダ兼ハードディスクレコーダは、再生停止命令または一時停止命令により、複写元となるテープの頭出しをし、ワンタッチダビングボタンを押すと、１つのコンテンツのうち、再生停止命令または一時停止命令を受付けた時点以降の部分をＤＶＤディスクに複写する。このような操作は、ユーザにとって馴染み深いものである。従来、ＶＣＲ（Video Cassette Recorder）などにおいて、このような操作が広く実施されていたためである。本実施の形態に係るＤＶＤレコーダ兼ハードディスクレコーダは、再生停止命令または一時停止命令の後、ポインタ信号以降の信号をダビングすることにより、このような操作を実現する。これにより、本実施の形態に係るＤＶＤレコーダ兼ハードディスクレコーダは、ＶＣＲなどと同様の、馴染み深い操作に基づいて、ＨＤＤ部からＤＶＤディスクへのワンタッチダビングを実現することができる。ワンタッチダビングにより、ユーザが面倒な操作を行なう必要がなくなる。本実施の形態に係るＤＶＤレコーダ兼ハードディスクレコーダの動作により、どのような映像がダビングされるかが、ユーザの視覚によって把握される。その結果、簡単な操作によりコンテンツをダビングできるＤＶＤレコーダ兼ハードディスクレコーダを提供することができる。
【００３８】
なお、ＤＶＤレコーダ兼ハードディスクレコーダ１０は、ＨＤＤ部２６に代えて、任意の記録媒体から信号を読取る装置を含んでもよい。ＨＤＤ部２６の代わりに含まれる装置の例として、ビデオテープから信号を読取るＶＣＲ、フラッシュメモリから信号を読取る装置、およびフレキシブルディスクから信号を読取る装置がある。
【００３９】
また、Ｓ１００にて、リモコンインターフェイス３８は、早送り再生（コンテンツの再生の速度を、ユーザがコンテンツを視聴するために予め定められた速度よりも速い速度で再生すること。再生の速度の例として、予め定められた速度の２倍とすることがある。）を開始する旨の指示を受付けてもよい。この場合、ハードディスク２７内のコンテンツの早送り再生が開始されることとなる。
【００４０】
また、「ポインタ信号」は、ＨＤＤ部２６が所定の順序での読出を停止する前に最後に読出した信号に限定されない。たとえば、「ポインタ信号」は、ＨＤＤ部２６が所定の順序での読出を停止する１秒前に読出した信号であってもよい。これにより、メイン制御部２２は、リモコンインターフェイス３８が再生を停止する旨の指示を受付けると、ＨＤＤ部２６が所定の順序での読出しを停止する前に読出したデジタル信号であるポインタ信号の、ハードディスク２７における記録の位置を表わす情報を生成することとなる。
【００４１】
＜第２の実施の形態＞
以下、本発明の第２の実施の形態に係るＤＶＤレコーダ兼ハードディスクレコーダについて説明する。
【００４２】
本実施の形態に係るＤＶＤレコーダ兼ハードディスクレコーダ１０のハードウェア構成は前述の第１の実施の形態と同じである。それらについての機能も同じである。したがって、それらについての詳細な説明はここでは繰返さない。
【００４３】
図６を参照して、本実施の形態に係るＤＶＤレコーダ兼ハードディスクレコーダ１０で実行されるプログラムは、コンテンツのダビングに関し、以下のような制御を実行する。なお、図６に示すフローチャートの中で、前述の図３に示した処理は同じステップ番号を付してある。それらの処理も同じである。したがって、それらについての詳細な説明はここでは繰返さない。
【００４４】
Ｓ１３０にて、メイン制御部２２は、ＨＤＤ部２６にポインタ情報を読出させることにより、レジユーム位置を特定する。レジユーム位置が特定されると、メイン制御部２２は、ダビングをするファイルの開始時間を算出する。これにより、レジューム位置から、ダビングをするファイルの開始時間が取得されることとなる。
【００４５】
Ｓ１３２にて、メイン制御部２２はハードディスク２７からＤＶＤディスクへのダビングを開始させる。ダビングを開始させるために、メイン制御部２２は、ＨＤＤ部２６にハードディスク２７からの信号の読取を開始させる。ＨＤＤ部２６が読出した信号はメイン制御部２２に出力される。メイン制御部２２は、ＨＤＤ部２６が出力した信号をＤＶＤ部２８に出力する。ＤＶＤ部２８は、メイン制御部２２が出力した信号を、ＤＶＤディスク２８に記録する。
【００４６】
Ｓ１３４にて、メイン制御部２２は、ハードディスク２７からＤＶＤディスクへのダビングを継続させる。継続のため、メイン制御部２２は、Ｓ１３２における処理と同様の処理を実施する。
【００４７】
Ｓ１３６にて、メイン制御部２２は、リモコンインターフェイス３８が、ストップボタン（本実施の形態の場合下カーソルキー１２１４）が押された旨の信号を受付けたか、ＤＶＤディスクの容量が不足することが検出されたか、またはＨＤＤ部２６がハードディスク２７の信号をすべて読出したか否かを判断する。ＤＶＤディスクの容量不足、ハードディスク２７の再生終了、およびストップボタンが押されたことのいずれかに該当する場合（Ｓ１３６にてＹＥＳ）、処理はＳ１３８へと移される。もしそうでないと（Ｓ１３６にてＮＯ）、処理はＳ１３４へと移される。
【００４８】
Ｓ１３８にて、メイン制御部２２は、ＨＤＤ部２６に、ハードディスク２７から、ストップボタンが押された時点でＨＤＤ部２６による読出しの対象となった信号の時間情報を読出させる。時間情報が読出されると、メイン制御部２２は、ダビングをするファイルの終了時間を算出する。これにより、ダビングをするファイルの終了時間が取得されることとなる。
【００４９】
Ｓ１４０にて、メイン制御部２２は、Ｓ１３８にて終了時間を取得した信号までの、ハードディスク２７からＤＶＤディスクへのダビングが終了すると、ダビングのための処理を終了する。
【００５０】
以上のような構造およびフローチャートに基づく、ＤＶＤレコーダ兼ハードディスクレコーダ１０の動作について説明する。
【００５１】
Ｓ１００〜Ｓ１１４の処理を経て、メイン制御部２２は、レジューム位置から、ダビングをするファイルの開始時間を取得する（Ｓ１３０）。時間が取得されると、メイン制御部２２は、ハードディスク２７からＤＶＤディスクへのダビングを開始する（Ｓ１３２）。ダビングが開始されると、メイン制御部２２は、ダビングを継続する（Ｓ１３４）。ダビングが継続されると、メイン制御部２２は、ＤＶＤディスクの容量不足、ハードディスク２７の再生終了、およびストップボタンが操作されたことのいずれかがあったか否かを判断する（Ｓ１３６）。当初このようなことはないので（Ｓ１３６にてＮＯ）、Ｓ１３４〜Ｓ１３６の処理が繰返される。最終的に、ストップボタンが押されたとすると（Ｓ１３６にてＹＥＳ）、メイン制御部２２は、ダビングをするファイルの終了時間を取得する（Ｓ１３８）。時間が取得されると、メイン制御部２２は、ストップボタンが押された時点の再生位置までダビングを行なう（Ｓ１４０）。これにより、ＨＤＤ部２６は、リモコンインターフェイス３８が記録をすべき旨の指示を受付けると、メイン制御部２２が生成した情報に基づいて、ハードディスク２７が記録した信号のうち、ＨＤＤ部２６による読出しの順序がポインタ信号以降でユーザの指示に対応する信号（すなわち、ポインタ信号から、記録をすべき旨の指示を受付けた後に記録を停止する旨の指示を受付けた時点でＨＤＤ部２６が読出した信号までの信号）を、ＤＶＤディスクに記録することとなる。
【００５２】
以上のようにして、本実施の形態に係るＤＶＤレコーダ兼ハードディスクレコーダは、ハードディスクが記録したコンテンツのうちユーザが希望する任意の部分の録画を、再生停止命令などと、ワンタッチダビングボタンと、ストップボタンとで実現できる。これにより、馴染み深い（馴染み深いゆえに、使い勝手がよい）操作に基づいて、ＨＤＤ部からＤＶＤディスクへのワンタッチダビングを実現することができる。ワンタッチダビングにより、ユーザが面倒な操作を行なう必要がなくなる。どのような映像がダビングされるかということが視覚により把握できる。その結果、簡単な操作によりコンテンツをダビングできるＤＶＤレコーダ兼ハードディスクレコーダを提供することができる。
【００５３】
なお、Ｓ１３６にて、メイン制御部２２は、ＨＤＤ部２６がハードディスク２７から読出した信号のパターンに基づき、読出された信号がブルーバック（コンテンツが終了したことを表わす、青一色の画像）を表わす信号か否かをあわせて判断してもよい。ＨＤＤ部２６がハードディスク２７から読出した信号がブルーバックを表わす信号か否かが判断される場合、読出された信号がブルーバックを表わす信号に該当すると（Ｓ１３６にてＹＥＳ）、処理はＳ１３８へと移されることとする。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】本発明の第１の実施の形態に係るＤＶＤレコーダ兼ハードディスクレコーダの制御ブロック図である。
【図２】本発明の第１の実施の形態に係るリモコン端末の外観図である。
【図３】本発明の第１の実施の形態に係るコンテンツのダビング処理の制御の手順を示すフローチャートである。
【図４】本発明の第１の実施の形態に係るＤＶＤレコーダ兼ハードディスクレコーダに記録されたファイルの構成を表わす図である。
【図５】本発明の第１の実施の形態に係るＤＶＤレコーダ兼ハードディスクレコーダが動作することにより、１つのファイルが分割されることを表わす概念図である。
【図６】本発明の第２の実施の形態に係るコンテンツのダビング処理の制御の手順を示すフローチャートである。
【符号の説明】
【００５６】
１０  ＤＶＤレコーダ兼ハードディスクレコーダ、１２  チューナ部、１４  入力部、１６  入力制御部、１８  ＡＶ信号Ａ／Ｄ部、２０  ＭＰＥＧエンコーダ部、２２  メイン制御部、２４  メモリ、２６  ＨＤＤ部、２７  ハードディスク、２８  ＤＶＤ部、３０  ＭＰＥＧデコーダ部、３２  ＯＳＤディスプレイ制御部、３４  ＡＶ信号Ｄ／Ａ部、３６  出力制御部、３８  リモコンインターフェイス、４０  外部インターフェイス、１２００  リモコン端末、１２０２  ディスプレイ、１２０４  移動キー、１２０６  数字ボタン、１２０８  操作ボタン、１２１２  上カーソルキー、１２１４  下カーソルキー、１２１６  右カーソルキー、１２１８  左カーソルキー、１２２０  確定ボタン、１２２２  音量ボタン、１２２４  チャンネルボタン、１２２６  ワンタッチダビングボタン。
【図１】
2006295811.tif 000003
【図２】
2006295811.tif 000004
【図３】
2006295811.tif 000005
【図４】
2006295811.tif 000006
【図５】
2006295811.tif 000007
【図６】
2006295811.tif 000008